【事件の表示】
　特許第３１５１９９３号「画像処理装置及びそれを搭載した複写機」の請求項１ないし５に係る特許に対する特許異議の申立てについて、次のとおり決定する。
【結　論】
　訂正を認める。
　特許第３１５１９９３号の請求項１ないし４に係る特許を取り消す。
【理　由】
１．手続の経緯
　特許第３１５１９９３号の請求項１〜４に係る発明は、平成５年２月８日に特許出願され、平成１３年１月２６日に特許権の設定登録がなされたものであり、その後、特許異議申立人大木一己により本件特許に対して特許異議の申立がなされ、当審により平成１３年１２月６日に取消理由が通知され、その期間内である平成１４年２月１５日に訂正請求書が提出されたものである。
　
　
２．訂正の適否について
（１）訂正の内容
　特許権者が、訂正請求において求めている訂正の内容は、次のとおりである。
　
ａ．特許請求の範囲の請求項１に係る記載
「副走査方向の走査速度を変更して、画像の拡大縮小を行う画像読み取り装置に接続される画像処理装置において、
　前記副走査方向の走査速度に対応した変倍率を入力する手段と、
　主走査の解像度と異なる副走査解像度で入力された変倍画像に対し、前記入力された変倍率に基づき予め定めた一定の副走査解像度になるように変倍処理を行う副走査変倍処理手段と、
　前記副走査変倍処理手段で形成された変倍画像データに基づく画像データと予め設定された特定パターンの有無または類似度を求める認識手段とを備えたことを特徴とする画像処理装置。」を、
 「副走査方向の走査速度を変更して、画像の拡大縮小を行う画像読み取り装置に接続され、紙幣や有価証券等の複写が禁止されているものの偽造を防止するための画像処理装置において、
　前記副走査方向の走査速度に対応した変倍率を入力する手段と、
　主走査の解像度と異なる副走査解像度で入力された変倍画像に対し、前記入力された変倍率に基づき予め定めた一定の副走査解像度になるように変倍処理を行う副走査変倍処理手段と、
　前記副走査変倍処理手段で形成された変倍画像データに基づく画像データと予め設定された紙幣等の複写禁止物に関する画像である特定パターンを比較し、前記予め設定された紙幣等の複写禁止物に関する画像である特定パターンの有無または類似度を求めるとともに、その求めた前記紙幣等の複写禁止物に関する画像である特定パターンの有無または類似度に基づく信号を紙幣や有価証券等の偽造を防止するための複写禁止処理に用いられるために出力する認識手段とを備えたことを特徴とする画像処理装置。」と訂正する。
　
ｂ．特許請求の範囲の請求項４を削除する。
　
ｃ．特許請求の範囲の請求項５（訂正後の請求４）に係る記載
「変倍機能を備えた複写機本体と、請求項１〜４の何れか１項に示す画像処理装置を備えた複写機であって、
　前記変倍機能で設定された変倍率を前記画像処理装置に入力させるように接続し、
　前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うようにしたことを特徴とする複写機。」を、
「変倍機能を備えた複写機本体と、請求項１〜３の何れか１項に示す画像処理装置を備えた複写機であって、
　前記変倍機能で設定された変倍率を前記画像処理装置に入力させるように接続し、
　前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うようにしたことを特徴とする複写機。」と訂正する。
　
ｄ．明細書の段落【０００８】の記載
「【課題を解決するための手段】　
　上記した目的を達成するために、本発明に係る画像処理装置では、副走査方向の走査速度を変更して、画像の拡大縮小を行う画像読み取り装置に接続される画像処理装置において、前記副走査方向の走査速度に対応した変倍率を入力する手段と、主走査の解像度と異なる副走査解像度で入力された変倍画像に対し、前記入力された変倍率に基づき予め定めた一定の副走査解像度になるように変倍処理を行う副走査変倍処理手段と、前記副走査変倍処理手段で形成された変倍画像データに基づく画像データと予め設定された特定パターンの有無または類似度を求めるとともに、その求めた前記紙幣等の複写禁止物に関する画像である特定パターンの有無または類似度を求める認識手段とを備えた(請求項１)。」を、
「【課題を解決するための手段】　
　上記した目的を達成するために、本発明に係る画像処理装置では、副走査方向の走査速度を変更して、画像の拡大縮小を行う画像読み取り装置に接続され、紙幣や有価証券等の複写が禁止されているものの偽造を防止するための画像処理装置において、前記副走査方向の走査速度に対応した変倍率を入力する手段と、主走査の解像度と異なる副走査解像度で入力された変倍画像に対し、前記入力された変倍率に基づき予め定めた一定の副走査解像度になるよう変倍処理を行う副走査変倍処理手段と、前記副走査変倍処理手段で形成された変倍画像データに基づく画像データと予め設定された紙幣等の複写禁止物に関する画像である特定パターンを比較し、前記予め設定された紙幣等の複写禁止物に関する画像である特定パターンの有無または類似度を求めるとともに、その求めた前記紙幣等の複写禁止物に関する画像である特定パターンの有無または類似度に基づく信号を紙幣や有価証券等の偽造を防止するための複写禁止処理に用いられるために出力する認識手段とを備えた(請求項１)。」と訂正する。
　
ｅ．明細書の段落【０００９】の記載
「また、本発明に係る複写機では、変倍機能を備えた複写機本体と、請求項１〜４の何れか１項に示す画像処理装置を備えた複写機であって、前記変倍機能で設定された変倍率を前記画像処理装置に入力させるように接続し、前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うように構成した。」を、
「また、本発明に係る複写機では、変倍機能を備えた複写機本体と、請求項１〜３の何れか１項に示す画像処理装置を備えた複写機であって、前記変倍機能で設定された変倍率を前記画像処理装置に入力させるように接続し、前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うように構成した。」と訂正する。
　
ｆ．明細書の段落【００４１】の記載
「【発明の効果】
　以上のように、本発明に係る画像処理装置及びそれを搭載した複写機では、たとえ変形されて入力画像の大きさ・形状が元画像と異なっても、係る変形率に応じて入力画像データの形状或いは比較する基準となる特定パターンの形状等を変形させた後、認識処理するため、正確に認識処理を行い、所定の紙幣等の複写禁止物に関する画像を判定・認識することができる。」を、
「【発明の効果】
　以上のように、本発明に係る画像処理装置及びそれを搭載した複写機では、たとえ変形されて入力画像の大きさ・形状が元画像と異なっても、係る変形率に応じて入力画像データの形状等を変形させた後、認識処理するため、正確に認識処理を行い、所定の紙幣等の複写禁止物に関する画像を判定・認識することができる。」と訂正する。
　
（２）訂正の適否
　訂正事項ａ〜ｆの訂正について、その訂正の適否を検討する。
　
訂正事項ａについて
　訂正前の特許請求の範囲の請求項４に、「前記予め設定された特定パターンは、紙幣、有価証券等の偽造が防止されるべきもののパターンである」なる記載、本件特許公報の段落【０００１】に、「本発明は、紙幣や有価証券等の偽造を防止するために適した画像処理装置」なる記載、及び、本件特許公報の段落【００３５】に、「認識処理部４は、本例ではファジィパターンマッチングにより、与えられた画像データ中に存在する所定部位（比較パターン）の予め設定した特定パターンに対する適合度（類似度）を求め、比較パターンが特定パターンであるのか否かを判断し、少なくとも特定パターンの時には所定の制御信号（認識結果）を出力するようになっている。（中略）また、この認識処理部４では、特定パターンに対する類似度を求めるだけでもよく、（比較パターンが特定パターンか否かの判定は複写機本体６側で行う）、或いは、係る判定まで認識処理部で行うようにしてもよい。」なる記載がある。
　そして、該訂正は、本件発明の画像処理装置が、「紙幣や有価証券等の複写が禁止されているものの偽造を防止するための画像処理装置」であること、及び、本件発明の特定パターンが、「紙幣等の複写禁止物に関する画像データである」ことに限定するとともに、「認識手段」の機能を限定するものであるから、この訂正は特許請求の範囲の減縮を目的とした訂正に該当する。
　
訂正事項ｂについて
　特許請求の範囲の請求項４を削除するものであるから、特許請求の範囲の減縮を目的とした訂正に該当する。
　
訂正事項ｃについて
　上記訂正事項ｂの訂正に基づき、請求項の番号の整合を図るものであるから、明瞭でない記載の釈明を目的とした訂正に該当する。
　
訂正事項ｄ〜ｆについて
　訂正事項ａ及びｂの訂正に基づき、請求項の記載の訂正事項と整合を図るものであるから、明瞭でない記載の釈明を目的とした訂正に該当する。
　
　しかも、上記訂正事項ａ〜ｆの訂正は、いずれも、新規事項の追加に該当せず、実質的に特許請求の範囲を拡張又は変更するものではない。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）申立て理由の概要
　特許異議申立人大木一己は、第３１５１９９３号の請求項１〜５係る発明の特許に対して、証拠として、甲第１号証（特開平４−４３７６４号公報）、及び、甲第２号証（特開平２−２１０５９１号公報）を提出し、本件の請求項１〜３に係る発明の特許は、特許法第２９条第１項３号、或いは、特許法第２９条第２項の規定に違反してなされたものであり、本件請求項４及び５に係る発明の特許は、特許法第２９条第２項の規定に違反してなされたものであって、本件発明についての特許を取り消すべき旨主張している。さらに、特許法第３６条第６項第２項に規定する要件を満足しないものであって、本件発明についての特許を取り消すべき旨主張している。
　
（２）本件発明
　訂正が認められるので、特許第３１５１９９３号の請求項１〜４に係る発明は訂正明細書の特許請求の範囲の請求項１〜４に記載された次のとおりのものと認められる。
「【請求項１】
　副走査方向の走査速度を変更して、画像の拡大縮小を行う画像読み取り装置に接続され、紙幣や有価証券等の複写が禁止されているものの偽造を防止するための画像処理装置において、
　前記副走査方向の走査速度に対応した変倍率を入力する手段と、
　主走査の解像度と異なる副走査解像度で入力された変倍画像に対し、前記入力された変倍率に基づき予め定めた一定の副走査解像度になるように変倍処理を行う副走査変倍処理手段と、
　前記副走査変倍処理手段で形成された変倍画像データに基づく画像データと予め設定された紙幣等の複写禁止物に関する画像である特定パターンを比較し、前記予め設定された紙幣等の複写禁止物に関する画像である特定パターンの有無または類似度を求めるとともに、その求めた前記紙幣等の複写禁止物に関する画像である特定パターンの有無または類似度に基づく信号を紙幣や有価証券等の偽造を防止するための複写禁止処理に用いられるために出力する認識手段とを備えたことを特徴とする画像処理装置。
　
【請求項２】
　前記副走査変倍処理手段は、主走査の解像度よりも低い副走査解像度で入力された縮小画像に対し、前記入力された変倍率に基づき予め定めた一定の副走査解像度になるよう縮小処理を行うものであり、
　前記認識手段は、前記副走査変倍処理手段で形成された縮小画像データに基づく画像データと予め設定された特定パターンの有無または類似度を求めるものであることを特徴とする請求項１に記載の画像処理装置。
　
【請求項３】
　前記副走査変倍処理手段が、前記変倍率に応じて前記縮小像の所定部位を間引くものであることを特徴とする請求項２に記載の画像処理装置。
　
【請求項４】
　変倍機能を備えた複写機本体と、請求項１〜３の何れか１項に示す画像処理装置を備えた複写機であって、
　前記変倍機能で設定された変倍率を前記画像処理装置に入力させるように接続し、前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うようにしたことを特徴とする複写機。」
　
（３）刊行物に記載された発明
ア．甲第１号証（特開平４−４３７６４号公報）
　甲第１号証には、
（ア）「本発明は、デジタル複写機、ファクシミリ、スキャナなどに適用される画像領域認識装置に係り、特に入力画像の各領域が網点処理されたものか否かを自動的に識別する点に特徴のある画像領域識別装置に関する。」（第２頁上左欄２行〜６行）、
（イ）「しかしながら上記従来技術では、変倍時に対応する網点検出方式については説明されていない。つまり、通常は変倍されると網点のパターンの形状が変化してしまい、用意されたパターンでは対応できなく、変倍時の網点検出率と等倍時の網点検出率は著しく異なったものとなり、変倍時の画像は誤検出が多くなり、著しく画像が劣化してしまう。従来ではこれらの欠点を解決するために、網点検出パターンの数を増やす等の対策を行っていたが、これでは回路構成素子の増大を招くという不具合があった。
　本発明は上記従来技術の欠点を解消し、網点領域の検出率の向上と、網点領域外の誤検出の低減を図ることを目的とする。」（第４頁上右欄４行〜１７行）、
（ウ）「第２図に、本発明を実施する一形式のデジタル複写機の機構部の構成を示す。第２図を参照すると、この複写機は、装置上方に配置されたスキャナ１と装置下方に配置されたプリンタ２で構成されている。
　２６が、原稿を載置するコンタクトガラスである。スキャナ１は、コンタクトガラス２６上に載置される原稿の像を走査しながら読み取る。副走査は機械的であり、電気モータＭＴの駆動によって、スキャナに備わったキャリッジが第２図の左右方向に移動する。（中略）像読取センサ１０は、ＣＣＤラインセンサであり、第２図においては紙面に垂直な方向に、５０００個の読取セルが１列に配列されている。」（第５頁上左欄６行〜上右欄１行）、
（エ）「ある任意の変倍率で画像データがモータの走査速度により副走査方向に変倍されていたら、ここで逆変倍を行い、等倍の画像データに補正される。」（第９頁上右欄１８行〜下左欄１行）、
（オ）「また、次段の白レベル検出回路７３、黒レベル検出回路７４は、網点の白の核または黒の核を検出するもので、注目画素が網点の核かどうかを判定するため、周辺画素との濃度差を検出し、ある一定以上の濃度差があれば、白または黒の網点の核とし、この網点核の状態が定められた規定のパターンと一致しているかどうかの判定をパターンマッチング回路７５で行い、網点の検出を行う。」（第９頁下左欄１１行〜１８行）
（カ）「変倍（等倍）データがＲＯＭ１０５、１０６に入力されると、ＲＯＭ１０５からはその変倍率に対応した副走査間引きデータを出力し」（第１０頁下右欄２行〜４行）
（キ）「次に、本装置に変倍率、×２がセットされた場合について述べる。走査速度は等倍時の速さの１／２で走査し、副走査方向の画像データが２倍となる。よって本回路では逆変倍（×０．５）を行い、等倍の画像データとする。（中略）よってＤｂ１〜Ｄｂ５なる１ライン間引いたデータが出力され、等倍画像データに逆変換されたことになる。よってＲＯＭ１０５が出力する間引き信号により、諸種の副走査ラインの間引きによる逆変倍が可能である。」（第１０頁下右欄１９行〜第１１頁上左欄１４行）
　
　上記（ア）〜（キ）の記載からみて、甲第１号証には、
「デジタル複写機、ファクシミリ、スキャナなどに適用される画像領域認識装置に係り、
　従来技術では、変倍されるとパターンの形状が変化してしまい、用意されたパターンでは対応できずに、変倍時の検出率と等倍時の検出率は著しく異なったものとなり、変倍時の画像は誤検出が多くなってしまうという欠点を解消し、検出率の向上を図ることを目的として、
　装置上方に配置されたスキャナ１と装置下方に配置されたプリンタ２で構成され、
　読取センサは、５００個の読取セルが１列に配列されたＣＣＤラインセンサを用い、
　ある任意の変倍率で画像データがモータの走査速度により副走査方向に変倍されていたら、ここで逆変倍を行い、等倍の画像データに補正し、
　つまり、変倍率が×２にセットされた場合、走査速度は等倍時の速さの１／２で走査し、副走査方向の画像データが２倍となり、本回路では逆変倍（×０．５）を行い、等倍の画像データとし、
　その画像データの注目画素が網点の核かどうかを判定するため、網点核の状態が予め定められた規定のパターンと一致しているかどうかの判定をパターンマッチング回路７５で行い、網点の検出を行う画像領域認識装置」の発明（以下、「甲第１号証記載の発明」という）が記載されている。
　
イ．甲第２号証（特開平２−２１０５９１号公報）
　甲第２号証には、
（ク）「（１）原稿の位置状態を検知する検知手段、
　前記検知手段の検知に応じて前記原稿中の特定部分の画像データを取り出し、予め登録されたパターンとの類似度を判別する判別手段、
　を有し、前記類似度により特定原稿を判定する画像処理装置。
（２）特定原稿は紙幣であり、特定部分は朱印を含む部分であることを特徴とする請求項（１）記載の画像処理装置。」（第１頁下左欄５行〜１３行）
（ケ）「本発明は特に偽造防止機能を設けた複写機に関するものである。」（第２頁上左欄３行〜４行）
（コ）「第２図において２０１はイメージスキャナ部であり、原稿を読取り、ディジタル信号処理を行う部分である。また、２０２はプリンタ部であり、イメージスキャナ２０１に読取られた原稿画像に対応した画像を用紙にフルカラーでプリント出力する部分である。」（第２頁上右欄１４行〜１９行）
（サ）「一方、１００９において、偽造の可能性ありと判定された場合、即ち朱印が検出された場合には、１０１１において偽造防止等がとられる。具体的には、第４図４０８のレジスタにＦＦＨをセット（通常は００Ｈがセットされている）することで、プリンタ部へＦＦＨが送られ、Ｂｋのトナーが全面に付着して、コピーができなくなる。」（第７頁上右欄８行〜１４行）
（シ）「次に、１００８の朱印のパターンマッチングについて詳しく説明する。
　尚、紙幣の朱印は表と裏では異なるため１種類の紙幣を判別するためにはパターンマッチングを行なうに際して２つの朱印のパターンが予め登録されている。」（第７頁上右欄１６行〜下左欄１行）なる記載がある。
　
　上記（ク）〜（シ）の記載からみて、甲第２号証には、
「偽造防止機能を設けた複写機に関し、
　原稿を読取り、ディジタル信号処理を行うイメージスキャナ部と、イメージスキャナ２０１に読取られた原稿画像に対応した画像を用紙にフルカラーでプリント出力するプリンタ部からなり、
　原稿中の朱印を含む部分である特定部分の画像データを取り出し、予め登録されたパターンとのパターンマッチングにより類似度を判別する判別手段を有し、前記類似度により紙幣からなる特定原稿を判定して、偽造防止等のためにプリンタ部へＦＦＨを送し、Ｂｋのトナーが全面に付着してコピーができないようにする画像処理装置」の発明（以下、「甲第２号証記載の発明という）が記載されている。
　
（４）対比・判断
（請求項１に係る発明）
　本件請求項１に係る発明と申立人が提出した甲第２号証記載の発明とを対比すると、
　
あ．甲第２号証記載の発明は、原稿を読取り、ディジタル信号処理を行うイメージスキャナ部と、イメージスキャナ２０１に読取られた原稿画像に対応した画像を用紙にフルカラーでプリント出力するプリンタ部からなる、紙幣の偽造防止機能を設けた画像処理装置であるから、「副走査方向の走査速度を変更して、画像の拡大縮小を行う画像読み取り装置」点を除き、「画像読み取り装置に接続され、紙幣や有価証券等の複写が禁止されているものの偽造を防止するための画像処理装置」である点で一致する。
　
い．甲第２号証記載の発明は、原稿中の朱印を含む部分である特定部分の画像データを取り出し、予め登録されたパターンとのパターンマッチングにより類似度を判別する判別手段を有し、前記類似度により紙幣からなる特定原稿を判定して、偽造防止等のためにＦＦＨを送る画像処理装置である。そして、上記朱印は、紙幣等の複写禁止物に関する画像であり、上記ＦＦＨは、判別手段の出力であることは当業者にとって明らかであるから、「前記副走査変倍処理手段で形成された変倍画像データに基づく画像データ」を除き、「画像データと予め設定された紙幣等の複写禁止物に関する画像である特定パターンを比較し、予め設定された紙幣等の複写禁止物に関する画像である特定パターンの有無または類似度を求めるとともに、その求めた紙幣等の複写禁止物に関する画像である特定パターンの有無または類似度に基づく信号を紙幣や有価証券等の偽造を防止するための複写禁止処理に用いられるために出力する認識手段を備えたことを特徴とする画像処理装置」である点で一致する。
　
　したがって、本件の請求項１に係る発明と甲第２号証記載の発明とは、
「画像読み取り装置に接続され、紙幣や有価証券等の複写が禁止されているものの偽造を防止するための画像処理装置において、
　画像データと予め設定された紙幣等の複写禁止物に関する画像である特定パターンを比較し、予め設定された紙幣等の複写禁止物に関する画像である特定パターンの有無または類似度を求めるとともに、その求めた紙幣等の複写禁止物に関する画像である特定パターンの有無または類似度に基づく信号を紙幣や有価証券等の偽造を防止するための複写禁止処理に用いられるために出力する認識手段を備えたことを特徴とする画像処理装置」である点で一致し、次の点で相違する。
　
（あ）本件の請求項１に係る発明は、副走査方向の走査速度を変更して、画像の拡大縮小を行う画像読み取り装置に接続され、副走査方向の走査速度に対応した変倍率を入力する手段を備えているのに対して、甲第２号証記載の発明は、画像読み取り装置が副走査方向の走査速度を変更して、画像の拡大縮小を行うこと、及び、副走査方向の走査速度に対応した変倍率を入力する手段を備えることが特定されていない点。
　
（い）本件の請求項１に係る発明は、主走査の解像度と異なる副走査解像度で入力された変倍画像に対し、入力された変倍率に基づき予め定めた一定の副走査解像度になるように変倍処理を行う副走査変倍処理手段を備え、特定パターンと比較する対象となる画像データが、副走査変倍処理手段で形成された変倍画像データに基づく画像データであるのに対して、甲第２号証記載の発明は、このような副走査変倍処理手段を備えておらず、特定パターンと比較する画像データが副走査変倍処理手段で形成された変倍画像データに基づく画像データでない点。
　
　しかしながら、（あ）の相違点に関しては、複写機などの画像処理装置に画像の拡大縮小を行う機能を設けることは周知であるとともに、複写機などの画像処理装置で画像の拡大縮小を行うために、画像読み取り装置を副走査方向の走査速度を変更して、画像の拡大縮小を行う構成とすること、及び、副走査方向の走査速度に対応した変倍率を入力する手段を備えることは周知な事項であるから、甲第２号証記載の発明において、画像読み取り装置を副走査方向の走査速度を変更して、画像の拡大縮小を行う画像読み取り装置とし、副走査方向の走査速度に対応した変倍率を入力する手段を備えるように構成することは、当業者であれば格別の創意を要することなくなし得る事項である。
　
　（い）の相違点に関して、甲第１号証には、デジタル複写機、ファクシミリ、スキャナなどに適用される画像領域認識装置に係り、従来技術では、変倍されるとパターンの形状が変化してしまい、用意されたパターンでは対応できずに、変倍時の検出率と等倍時の検出率は著しく異なったものとなり、変倍時の画像は誤検出が多くなってしまうという欠点を解消し、検出率の向上を図ることを目的として、ある任意の変倍率で画像データがモータの走査速度により副走査方向に変倍されていたら、ここで逆変倍を行い、等倍の画像データに補正して、注目画素が網点の核かどうかを判定するため、網点核の状態が予め定められた規定のパターンと一致しているかどうかの判定をパターンマッチング回路７５で行い、網点の検出を行う発明が記載されている。
　該甲第１号証記載の発明における網点は、パターンマッチングによる検出対象物であり、甲第２号証記載の発明におけるパターンマッチングによる検出対象物が、紙幣であることは明らかである。
　また、主走査方向と副走査方向の解像度を、同じ解像度とするか異ならせるかなどの解像度の設定は、所望する画像データの主走査方向及び副走査方向の精細さの程度によりなされるものであって、各々の解像度は互いに独立した設定し得るものでもある。
　このため、甲第２号証記載の発明において、変倍時の検出率を向上させるために、主走査の解像度と異なる副走査解像度で入力された変倍画像に対し、入力された変倍率に基づき予め定めた一定の副走査解像度になるように変倍処理を行う副走査変倍処理手段を備え、認識手段が認識する画像データが副走査変倍処理手段で形成された変倍画像データに基づく画像データであるようにすることは、当業者であれば容易になし得る事項である。
　
（請求項２に係る発明）
　請求項２に係る発明と甲第２号証記載の発明とを対比すると、請求項１で検討した相違点に加え、
　請求項２記載の発明は、主走査の解像度よりも低い副走査解像度で入力された縮小画像に対し、前記入力された変倍率に基づき予め定めた一定の副走査解像度になるよう縮小処理を行う副走査変倍処理手段と、副走査変倍処理手段で形成された縮小画像データに基づく画像データと予め設定された特定パターンの有無または類似度を求める認識手段を備えているのに対して、甲第１号証記載の発明は、このような副走査変倍処理手段及び認識手段を備えていない点で相違する。
　しかしながら、「主走査の解像度よりも低い副走査解像度で入力された」点については、主走査方向と副走査方向の解像度を、同じ解像度とするかいずれかを低くするかなどの解像度の設定は、所望する画像データの主走査方向及び副走査方向の精細さの程度により設定されるものであって、各々の解像度は互いに独立した設定し得るものであるから、主走査の解像度よりも低い副走査解像度で入力されように、主走査の解像度及び副走査解像度を設定することは、当業者が必要に応じて適宜なし得るものである。
　「入力された縮小画像に対し、前記入力された変倍率に基づき予め定めた一定の副走査解像度になるよう縮小処理を行う」点、及び、「認識手段は、副走査変倍処理手段で形成された縮小画像データに基づく画像データと予め設定された特定パターンの有無または類似度を求める」点については、入力画像の生成する構成として、副走査方向に複数の解像度で入力可能とし、読み取りは入力可能とする解像度の内で最も高い解像度で像を読み取り、その後、画素データを間引いて、所望の解像度の縮小画像を生成して入力画像とする構成は、特開昭５６−８９５８号公報に見られるごとく周知な構成である。また、画像の変倍処理する構成として、変倍処理の変倍率に応じて画像データを間引いて画像の変倍を行う変倍処理構成は、特開昭５７−５８４６４号公報に見られるごとく周知な構成にすぎない。
　そして、副走査変倍処理手段での変倍処理が、変倍率に応じて画像データを間引き、縮小画像データを生成する処理であれば、認識手段で予め設定された特定パターンの有無または類似度を求められる画像データが、副走査変倍処理手段で形成された縮小画像データに基づく画像データとなることは明らかである。
　このため、甲第２号証記載の発明において、主走査の解像度よりも低い副走査解像度で入力された縮小画像に対し、前記入力された変倍率に基づき予め定めた一定の副走査解像度になるよう縮小処理を行う副走査変倍処理手段、及び、副走査変倍処理手段で形成された縮小画像データに基づく画像データと予め設定された特定パターンの有無または類似度を求める認識手段を備えるように構成することは、当業者であれば容易になし得るものである。
　
（請求項３に係る発明）
　請求項３に係る発明と甲第２号証記載の発明とを対比すると、請求項２で検討した相違点に加え、
　請求項３記載の発明は、副走査変倍処理手段が、変倍率に応じて縮小像の所定部位を間引くものであるのに対して、甲第２号証記載の発明では、このような副走査変倍処理手段を備えていない点で相違する。
　しかしながら、甲第１号証記載の発明は、変倍率が×２にセットされた場合、走査速度は等倍時の速さの１／２で走査し、副走査方向の画像データが２倍となり、これを、間引きにより、本回路では逆変倍（×０．５）を行い、等倍の画像データとしているから、甲第１号証記載の発明においても、副走査変倍処理手段の変倍処理は、前記変倍率に応じて像の所定部位を間引くものである。
　このため、副走査変倍処理手段における変倍処理の構成として、変倍率に応じて縮小像の所定部位を間引くものであるように構成することは、当業者であれば容易になし得る事項である。
　
（請求項４に係る発明）
　甲第２号証記載の発明は、偽造防止機能を設けた複写機に関し、原稿を読取り、デジタル信号処理を行うイメージスキャナ部と、イメージスキャナ２０１に読取られた原稿画像に対応した画像を用紙にフルカラーでプリント出力するプリンタ部からなっており、読み取った原稿が紙幣であると判定した場合には、偽造防止等のためにプリンタ部へＦＦＨを送し、Ｂｋのトナーが全面に付着してコピーができないようにしているから、甲第２号証記載の発明も、変倍機能を備えた複写機本体と画像処理装置を備えた複写機であって、複写処理中の物体が、紙幣等の予め登録した所定の物体か否かを判断し、少なくとも所定の物体と判断した時には複写機本体に対し制御信号を送り、所定の複写禁止処理を行うようにしたことを特徴とする複写機であることは明らかである。
　そして、「変倍機能で設定された変倍率を前記画像処理装置に入力させるように接続し、前記画像処理装置は、与えられた変倍率に基づいて複写処理中の物体が、紙幣等の予め登録した所定の物体か否かを判断」ている点については、請求項１の（い）の相違点として上記で検討した事項に他ならない。
　このため、請求項４に係る発明には、請求項１〜３で検討した相違点以外の相違は認められない。
　
　したがって、本件の請求項１〜４に係る発明は、上記甲第１及び２号証記載の発明及び周知な事項に基づいて当業者が容易に発明をすることができたものであるから、特許法第２９条第２項の規定により特許を受けることができないものである。
　
（５）むすび
　以上から明らかなように、本件の請求項１〜４に係る発明についての特許は、拒絶の査定をしなければならない特許出願に対してされたものと認める。
　よって、特許等の一部を改正する法律（平成６年法律第１１６号）附則第１４条の規定に基づく、特許法等の一部を改正する法律の施行に伴う経過処置を定める政令（平成７年政令第２０５号）第４条第２項の規定により、結論のとおり決定する。
【異議決定日】
平成１４年３月１５日（２００２．３．１５）
【訂正の要旨】
（３）訂正の趣旨
　まず、明細書中の特許請求の範囲の請求項１から５において、特許請求の範囲の減縮を目的として、もとの請求項１を減縮するとともに、請求項４を削除し、請求項５の請求項番号を繰り上げ、「請求項４」と訂正する。（クレーム対応表参照）。そして、訂正後の請求項もさらに以下の各訂正事項に記載の通り減縮並びに不明瞭な記載の釈明を目的とする訂正を行った。
　訂正事項ａ
　特許請求の範囲の請求項１を特許請求の範囲の減縮を目的として下記文章に訂正する。
　　　記
「副走査方向の走査速度を変更して、画像の拡大縮小を行う画像読み取り装置に接続され
、紙幣や有価証券等の複写が禁止されているものの偽造を防止するための
　前記副走査方向の走査速度に対応した変倍率を入力する手段と、
　主走査の解像度と異なる副走査解像度で入力された変倍画像に対し、前記入力された変倍率に基づき予め定めた一定の副走査解像度になるように変倍処理を行う副走査変倍処理手段と、
　前記副走査変倍処理手段で形成された変倍画像データに基づく画像データと予め設定された
紙幣等の複写禁止物に関する画像である
を比較し、前記予め設定された紙幣等の複写禁止物に関する画像である特定パターン
るとともに、その求めた前記紙幣等の複写禁止物に関する画像である特定パターンの有無または類似度に基づく信号を紙幣や有価証券等の偽造を防止するための複写禁止処理に用いられるために出力する
　訂正事項ｂ
　特許請求の範囲の請求項４を特許請求の範囲の減縮を目的として下記文章に訂正する。
　　　記
「変倍機能を備えた複写機本体と、請求項１〜
３
　前記変倍機能で設定された変倍率を前記画像処理装置に入力させるように接続し、
　前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うようにしたことを特徴とする複写機。」
　訂正事項ｃ
　特許請求の範囲の請求項５を、特許請求の範囲の減縮を目的として削除する。
　訂正事項ｄ
　明細書の段落番号［０００８］を、不明瞭な記載の釈明を目的として下記の文章に訂正する。
　　　記
　【０００８】
　【課題を解決するための手段】
　上記した目的を達成するために、本発明に係る画像処理装置では、副走査方向の走査速度を変更して、画像の拡大縮小を行う画像読み取り装置に接続され
、紙幣や有価証券等の複写が禁止されているものの偽造を防止するための
紙幣等の複写禁止物に関する画像である
を比較し、前記予め設定された紙幣等の複写禁止物に関する画像である特定パターン
るとともに、その求めた前記紙幣等の複写禁止物に関する画像である特定パターンの有無または類似度に基づく信号を紙幣や有価証券等の偽造を防止するための複写禁止処理に用いられるために出力する
　訂正事項ｅ
　明細書の段落番号［０００９］を、不明瞭な記載の釈明を目的として下記の文章に訂正する。
　　　記
　【０００９】
　また、本発明に係る複写機では、変倍機能を備えた複写機本体と、請求項１〜
３
　訂正事項ｆ
　明細書の段落番号［００４１］を、不明瞭な記載の釈明を目的として下記の文章に訂正する。
　　　記
　【００４１】
　【発明の効果】
　以上のように、本発明に係る画像処理装置及びそれを搭載した複写機では、たとえ変形されて入力画像の大きさ・形状が元画像と異なっても、係る変形率に応じて入力画像デー
タの
紙幣等の複写禁止物に関する
（５４）【発明の名称】
画像処理装置及びそれを搭載した複写機
（５７）【特許請求の範囲】
　【請求項１】　副走査方向の走査速度を変更して、画像の拡大縮小を行う画像読み取り装置に接続され
、紙幣や有価証券等の複写が禁止されているものの偽造を防止するための
　前記副走査方向の走査速度に対応した変倍率を入力する手段と、
　主走査の解像度と異なる副走査解像度で入力された変倍画像に対し、前記入力された変倍率に基づき予め定めた一定の副走査解像度になるように変倍処理を行う副走査変倍処理手段と、
　前記副走査変倍処理手段で形成された変倍画像データに基づく画像データと予め設定された
紙幣等の複写禁止物に関する画像である
を比較し、前記予め設定された紙幣等の複写禁止物に関する画像である特定パターン
るとともに、その求めた前記紙幣等の複写禁止物に関する画像である特定パターンの有無または類似度に基づく信号を紙幣や有価証券等の偽造を防止するための複写禁止処理に用いられるために出力する
　【請求項２】　前記副走査変倍処理手段は、主走査の解像度よりも低い副走査解像度で入力された縮小画像に対し、前記入力された変倍率に基づき予め定めた一定の副走査解像度になるよう縮小処理を行うものであり、
　前記認識手段は、前記副走査変倍処理手段で形成された縮小画像データに基づく面像データと予め設定された特定パターンの有無または類似度を求めるものであることを特徴とする請求項１に記載の画像処理装置。
　【請求項３】　前記副走査変倍処理手段が、前記変倍率に応じて前記縮小画像の所定部位を間引くものであることを特徴とする請求項２に記載の画像処理装置。
　【請求項４】　変倍機能を備えた複写機本体と、請求項１〜３の何れか１項に示す画像処理装置を備えた複写機であって、
　前記変倍機能で設定された変倍率を前記画像処理装置に入力させるように接続し、
　前記画像処理装置は、与えられた変倍率に基づいて複写処理中の物体が、紙幣等の予め登録した所定の物体か否かを判断し、少なくとも前記所定の物体と判断した時には前記複写機本体に対し制御信号を送り、所定の複写禁止処理を行うようにしたことを特徴とする複写機。
【発明の詳細な説明】
　【０００１】
　【産業上の利用分野】
　本発明は、紙幣、有価証券等の偽造を防止するために適した画像処理装置及びそれを搭載した複写機に関する。
　【０００２】
　【従来の技術】
　近年のフルカラー複写機等の複写装置の開発により、複写画像の画質は原画像と肉眼では見分けがつかないレベルにまで達し、係る忠実な複写が手軽に得られるようになった。しかし、それにともない紙幣、有価証券等の本来複写が社会的に禁止されているものの偽造に悪用される危険性が増大すると考える必要があり、係る危険性を未然に防止するための偽造防止装置が種々開発されている（例えば特開平２−２１０４８１号公報に開示された画像処理装置等）。
　【０００３】
　そして、これら各種の装置は、予め紙幣等の複写禁止物に関する画像を登録しておき、入力画像中にかかる画像が含まれているか否かを認識判定（具体的な認識手法は、種々開発されて異なる）するようになっている。そして、係る画像を認識した場合には、コピー紙全面を黒く塗り潰して出力したり、或いは、複写処理自体を停止するなど種々の複写禁止手段をとるようになっている。
　【０００４】
　【発明が解決しようとする課題】
　ところで複写機は、紙幣等の複写禁止物を除き原稿台上に載置された物体を忠実に原寸通り或いは所定の倍率で複写することが原則であるため、仮に紙幣に似た画像（紙幣ではなく、法律的にも複写可能な画像）が入力された場合には、紙幣ではないと認識してそのまま通常の複写処理を行う必要がある。よって、認識判定を行う際の一致度（判定基準のしきい値）は、必然的に高くなってしまう。
　【０００５】
　したがって、変倍機能により縮小或いは拡大して複写処理をすると、複写機本体側から画像処理装置に与えられる画像データの大きさ（形状）が、予め登録していた画像データのものと異なり、紙幣ではないと認識されるおそれがある。すなわち、デジタルカラー複写機は、通常１ライン分（主走査方向）のＣＣＤを備えたイメージセンサを所望の速度で副走査方向に移動させることにより原稿台に載置された画像を読み取るが、縮小或いは拡大する場合には、そのイメージセンサの移動速度を適宜増減速することにより対応している。よって、イメージセンサで読み取られた画像データは、その時点で与えられた変倍率により副走査方向の情報量が異なるためである。
　【０００６】
　そして、その変倍率が数％〜１０数％程度では、本物の紙幣と比較すればその大きさが異なるためすぐにわかるが、偽造コピーされた（大きさの異なる）もののみを単体で見た場合にはわかりにくく、ましてや不断見慣れていない外国の紙幣などではなおさらとなる。
　【０００７】
　本発明は、上記した背景に鑑みてなされたもので、その目的とするところは、たとえ変倍されて入力画像の大きさが異なっても、正確に認識処理を行い、所定の画像を判定可能とする画像処理装置及びそれを搭載した複写機を提供することにある。
　【０００８】
　【課題を解決するための手段】
　上記した目的を達成するために、本発明に係る画像処理装置では、副走査方向の走査速度を変更して、画像の拡大縮小を行う画像読み取り装置に接続され
、紙幣や有価証券等の複写が禁止されているものの偽造を防止するための
紙幣等の複写禁止物に関する画像である
を比較し、前記予め設定された紙幣等の複写禁止物に関する画像である特定パターン
るとともに、その求めた前記紙幣等の複写禁止物に関する画像である特定パターンの有無または類似度に基づく信号を紙幣や有価証券等の偽造を防止するための複写禁止処理に用いられるために出力する
　【０００９】
　また、本発明に係る複写機では、変倍機能を備えた複写機本体と、請求項１〜
３
　【００１０】
　【作用】
　例えば複写機における拡大・縮小コピーのように、元画像に対して所定の変形率で変形された画像データが入力される。すると、認識処理装置側には、係る画像データとともに副走査方向の変倍率も与えられるため、係る変倍率に基づいて少なくとも副走査方向画像データを変倍して元画像に対応する変倍画像データを形成した後、変倍画像データに基づく画像データと特定パターンと比較し所定の認識処理を行い、一致度等を求める。
　【００１１】
　【実施例】
　以下、本発明に係る画像処理装置及びそれを搭載した複写機の好適な実施例を添付図面を参照にして詳述する。本例では、フルカラー複写機に実装され、係るフルカラー複写機を用いて紙幣等の複写が禁止されているものを複写しようとした場合に、それを検知して複写処理を停止するための画像処理装置を示している。すなわち、図１に示すように、本例の画像処理装置１は、与えられた画像情報に対して所定の間引き処理をする画像修正手段たる間引き部２と、その間引き部２の出力を受けてぼかし画像を形成する平均化処理部３と、その平均化処理部３から出力されるぼかし画像に基づいて所定のパターン認識を行う認識処理部４とから大略構成されている。そして、それら間引き部２，平均化処理部３並びに認識処理部４は、制御用ＣＰＵ５によりその動作等が管理されている。
　【００１２】
　また、上記間引き部２に与えられる画像データは、複写機本体６に設けられた光学的読取装置であるＣＣＤ等のイメージセンサによるスキャンが進むにしたがって、読み取られたデータが複写機本体６側の色処理信号変換手段により変換されて得られた色データが順次所定の領域分ずつリアルタイムで送られてくるようになっており、具体的な色データとしては、フルカラー情報であるレッド（Ｒ），グリーン（Ｇ），ブルー（Ｂ）成分それぞれの濃淡画像が所定の情報量（ｎビット）で現され、しかも、変倍率が１００％（等倍）の時に主走査方向並びに副走査方向がともに４００ＤＰＩの解像度となっている。
　【００１３】
　なお、本例で用いた複写機は拡大・縮小等の変倍機能を備えており、複写機本体６に設けられたイメージセンサで読み取られ出力される画像データの主走査方向の解像度は変倍率に関係なく４００ＤＰＩ一定で、副走査方向の解像度は変倍率（変形率）に応じて適宜変動する（イメージセンサの副走査方向の移動速度が異なるため）。さらに、係る現在複写処理中の変倍率は、複写機本体６から上記制御用ＣＰＵ５に送られるようになっている。
　【００１４】
　次に、各部について詳述する。間引き部２は、設定された所定の間引きパターンに基づいて、入力された画像データに対して所定部位を単純間引きするようになっている。そして上記のように変倍率によって解像度が変動するのは副走査方向のみであるため、本例では、係る副走査方向の間引き率を変倍率に応じて適宜変更設定することにより、間引き部２から出力される間引き後の画像データの解像度が、変倍率に関係なく一定になるようにしている。しかも、拡大・縮小の両方に対して間引き処理で対応するめたに、等倍（変倍率１００％）の時にも所定の間引きを行うようにしている。なお、主走査方向は、解像度が一定であるため、得られる情報量を多くするために間引き処理をしないで４００ＤＰＩのままとしている。よって、この間引き部２からは、４００×３００ＤＰＩ（主走査方向×副走査方向）の間引き画像データが出力されることになる。
　【００１５】
　そして、係る間引き部２の具体的な構成は図２に示すようになっている。すなわち、パラレル入力パラレル出力の多段（本例では１２段）のシフトレジスタ１０の）各入力端子（ＰＩ０〜ＰＩ１１）に、現在処理中の変倍率に応じた所定の間引きパターン（「０」と「１」の組み合わせ）が制御用ＣＰＵから与えられるようになっている。そして、そのシフトレジスタ１０の出力端子（ＰＯ０〜ＰＯ１１）が１２入力１出力のセレクタ回路１１の入力端子（Ｉ０〜Ｉ１１）に接続されている。すなわち、上記制御用ＣＰＵが変形率に応じた所定の間引きパターンを前記巡回型のシフトレジスタに設定する手段を構成し、また、セレクタ回路１１が変形率に応じて前記シフトレジスタにおける巡回する段数を変更する手段を構成している。
　【００１６】
　またセレクタ回路１１の出力端子は、シフトレジスタ１０の１段目と、第１のアンド回路１２の一方の入力端子とにそれぞれ並列的に接続されている。そして、そのセレクタ回路１１から出力されるデータは、変倍率ラッチ回路１３から出力される制御用ＣＰＵから与えられる変倍率に応じた所定のセレクト信号により決定される。すなわち、このセレクト信号は、１２個の入力端子Ｉ０〜Ｉ１１のうちのいずれを選択するかの端子番号を示す数値データとなっている。そして、かかる構成にしたことにより、変倍率ラッチ回路１３で選択された入力端子までの段数（ビット数）からなる巡回型のシフトレジスタが構成され、最初にシフトレジスタ１０に与えられた間引きパターンを巡回させることができる。
　【００１７】
　一方、シフトレジスタ１０のシフト命令は、間引き前の副走査同期信号により与えられる。この副走査同期信号は、係るシフトレジスタ１０のシフトクロック入力端子と並列に上記第１のアンド回路１２の他方の入力端子にも入力されるようになっている。この結果、セレクタ回路１１の出力が１の時のみ第１のアンド回路１３から副走査同期信号が出力され、セレクタ回路１１の出力が０の時には第１のアンド回路１２の出力は０のままとなる。
　【００１８】
　そして、その第１のアンド回路１２の出力は、複写機本体６から送られる画像データ（ＲＧＢ）が入力される第２のアンド回路１４に制御信号として入力され、係る制御信号が１の時には第２のアンド回路１４に入力された画像データがその
まま出力され、制御信号が０の時には出力されないようになっている。
　【００１９】
　さらに、上記した副走査同期信号は、複写機本体６のイメージセンサの副走査方向の移動速度に応じたタイミングで発生し、１つのパルスが発生している時間、すなわち、シフトタイミングは、イメージセンサにて１つのライン（主走査方向の全部の画素）を読み取る時間と同等かやや長く設定される。つまり、係る副走査同期信号が発生している間に、間引き部２（第２のアンド回路１４）に１ライン分の画像データ（ＲＧＢ）が入力されるようになっている。したがって、第１のアンド回路１２の出力が「０」となっている時に第２のアンド回路１４に入力される画像データは、後段の処理部へは送られず、係る１ライン分が間引かれることになる。つまり、第１のアンド回路１２の出力が間引き後の副走査同期信号となり、係る出力（同期信号）が１の時に入力された（読み取られた）画像データが、後段の各処理部における認識処理の対象となる。
　【００２０】
　ここで、間引き部２の動作並びにセットされる間引きパターンについて説明すると、上記したごとく変倍率１００％の時に３００ＤＰＩに間引くためには、３ライン分読み取ったら次の１ラインを使用しなければよいので、シフトレジスタ１０に入力する間引きパターンは、例えばＰＩ０，ＰＩ４，ＰＩ８が「０」で、他が「１」となるようにし、さらに変倍率ラッチ回路１３にてセレクタ回路１１の１２番目の入力端子Ｉ１１を選択する。これにより、１２段（ビット）の巡回シフト型のシフトレジスタが構成され、セレクタ回路１１からは、「１」が３回出力された後「０」が１回出力されることが繰り返し行われる。
　【００２１】
　したがって、複写処理が開始されたなら、その倍率データ（１００％）から、上記所定の間引きパターンをシフトレジスタ１０にセットし、複写機本体６におけるイメージセンサの副走査方向の移動に同期して出力される副走査同期信号（間引き前）に基づいてシフトする。したがって、副走査方向の１番目のラインを主走査方向に読み取って得られた画像データが第２のアンド回路１４に入力されている間は、シフトレジスタ１０の出力はＰＩ１１にセットした「１」がセレクタ回路１１より出力されて第１のアンド回路１２に入力されるため、副走査同期信号（間引き後）は、副走査同期信号（間引き前）と同一の状態となり、入力された画像データはそのまま第２のアンド回路１４を介して出力される。そして、この状態は、２番目，３番目のラインに関しても同様である。そして、４番目のラインが第２のアンド回路１４に入力されている時には、シフトレジスタ１０はすでに４回シフトされているため、ＰＯ１１から出力されるデータは、最初にＰＩ８にセットした「０」となるので、第１のアンド回路１２から出力される副走査同期信号（間引き後）は０となる。よって、係る４番目のラインを構成する画像データは第２のアンド回路１４からは出力されない。そして、５番目以降のラインについては、上記１〜４番目のラインにおける動作と同様となる。これにより、３００ＤＰＩに間引かれた画像データが次段の平均化処理部３に送られる。すなわち、上記第２のアンド回路１２が、シフトレジスタの出力に基づいて決定される間引きパターンを受け入力された画像データの所定部位を間引く手段を構成する。
　【００２２】
　次に、拡大或いは縮小コピーされる場合について説明する。例えば拡大の場合には、その倍率に応じてイメージセンサの副走査方向の移動速度が適宜遅くなるため解像度が高くなる（例えば変倍率が１２０％とすると解像度は４８０ＤＰＩとなる）ので、より多くのラインを間引くことにより３００ＤＰＩの間引き画像データを作成することになる。そして、具体的には、変倍率が例えば１２０％とすると、４８０／３００＝５／８より、８ライン中の３つのラインを間引くようなパターンを、シフトレジスタ１０にセットし、さらにセレクタ回路１１からはＩ７から入力されたデータを選択して８ビットのシフトレジスタを構成すればよい。なお、具体的なパターンとしては、できるだけ間引く箇所を均等にするために、例えば、ＰＩ５，ＰＩ２，ＰＩ０を「０」とし、残り（但し、ＰＩ８〜ＰＩ１１は使用しない）を「１」とするような間引きパターンにより対応できる。
　【００２３】
　一方、上記とは逆に縮小の場合には、その倍率に応じてイメージセンサの副走査方向の移動速度が適宜速くなって解像度が低くなるので、間引く割合を適宜減少することにより３００ＤＰＩの間引き画像データを作成することになる。そして本例では、変倍率７５％の解像度が３００ＤＰＩであるため、変倍率が７５％の時には、シフトレジスタ１０のすべての入力端子に１をセットする（セレクタ回路１１にて選択する入力端子は任意）ことになる。
　【００２４】
　すなわち、本例では変倍率が７５％以上のものに対応できるもので、間引き画像データの解像度が３００ＤＰＩになるように変倍率（イメージセンサの移動速度）に応じた各間引きパターンを予め作成し、それを例えばテーブル形式等により格納しておき、制御用ＣＰＵ５が複写機本体６から与えられた変倍率に基づいて所定の間引きパターンをシフトレジスタ１０に入力すればよいのである。そしてさらに、セレクタ回路１１において選択されるデータ（入力端子）も、上記と同様に変倍率に対応した使用する入力端子を予め求めておき、与えられた変倍率に基づいて所定の番号をセットすればよい。なお、変倍率の値によっては、上記のように椅麗に割り切れない、すなわち１〜１２ビットのいずれのシフトレジスタを用いても３００ＤＰＩの解像度が得られない場合には、適宜近似して３００ＤＰＩに近い解像度が得られる所定のパターン並びにシフトレジスタのビット数を設定する。
　【００２５】
　なお、本例では変倍率があまりにも大きい或いは小さいと、複写後の大きさが原寸のものと大きく異なるため一目で偽札と判断できると予測できるので、余裕を持って７５％まで対応できるようにしたが、より広い範囲に対応できるようにするには、等倍（変倍率１００％）の時の間引き率をもっと大きく、すなわち、より低い解像度のものにすればよい。また、シフトレジスタの段数（ビット数）を多くすることにより、変倍率の変化に対してより細かな対応をすることができる、また、上記したように基準となる解像度を低くすると、認識率が低下するおそれがあるため、適宜補間回路等を設けることにより、例えば上記した実施例のものでは変倍率が７５％未満のものを３００ＤＰＩにするようにしてもよい。
　【００２６】
　また、本例では、間引く方向を副走査方向のみとしたが、主走査方向も変倍率に応じて変わる場合には、主走査方向に対しても上記と同様の間引き処理を行うようにすることはもちろんである。さらに、本例ではシフトレジスタ１０の出力をセレクタ回路１１を介して出力し、それに基づいて間引き処理を行うようにしたが、本例ではこれに限ることはなく、例えば、使用する段数が固定であればセレクタ回路は特に設ける必要はなく、さらには、シフトレジスタ１０も設けることなく制御用ＣＰＵから逐次間引くか否かの制御信号を出力するようにしてもよく、種々変更実施が可能である。
　【００２７】
　一方、平均化処理部３では、上記間引きをした画像情報を受け、かかる画像情報における小さな画素を所定の複数個分を１まとめにするとともに、それらの濃度を平均化しておおまかな濃淡画像データを作成する。本例では、主走査方向に４画素分で副走査方向に３ラインの計１２個の画素濃度の平均を求めるようにしている。これにより、得られた画像は、元の４００×３００ＤＰＩの画像データに比しぼやけた画像となり、細かな模様はなくなりおおざっぱな形状が現れる。そして、たとえ読み取って入力された原画像に印刷ずれ等があり、予め記憶設定されている特定パターンとわずかな相違があったとしても、画像をぼかした結果係る相違が解消（消滅）されてしまう。これにより次段の認識処理部４における認識処理を簡単かつ高速に検出が可能となる。
　【００２８】
　そして、係る平均化処理部３の具体的な構成は、図３に示すようになっている。すなわち、シフトクロックにより同期してデータを順送り出力する４段に接続されたラッチ２０ａ〜２０ｄの各出力を第１の加算器２１に入力する。そして、間引きされた画像データを構成する各ラインの各画素が１画素ずつ順に１段目のラッチ２０ａに入力される。なお、それら各画素は濃度（階調）を現す多値データであるため、各ラッチ２０ａ〜２０ｄはその多値データに対応した所定のビット数から構成されるものである。
　【００２９】
　第１の加算器２１では、入力される過去４画素分すなわち、４つのラッチ２０ａ〜２０ｄに格納されている各画素の濃度を示す値を加算処理し、それを第２の加算器２２の一方の入力端子に入力するようになっている。また、第２の加算器２２の他方の入力端子には、図外のラインメモリに記憶された過去の１または２ライン分の所定画素の濃度の総和が第３のアンド回路２３を介して入力されるようになっている。そして、この第２の加算器２２にて加算処理された結果が、上記ラインメモリ並びに除算器２４に与えられるようになっている。
　【００３０】
　さらに、第２の加算器２２の出力のラインメモリの書き込みは、図外の制御信号に基づいて、４画素に１回の割合で行われる。すなわち、処理中のラインの１番目から４番目の画素が第１の加算器２１に同時に入力されて加算処理されて得られた結果に基づいて第２の加算器２２でさらに加算処理されたときにラインメモリの１番目に書込みが行われ、５番目から８番目の画素が加算された時の処理結果がラインメモリの２番目へ書き込まれる。以下、その繰り返しである。なお、第３のアンド回路２３に入力される制御信号は、３ラインに１度「０」となり、ラインメモリからの読み出しを禁止するようになっている。
　【００３１】
　次に、上記平均化処理部３の動作について説明すると、まず１ライン目を構成する画素が１番目から順にラッチ２０ａに入力され、シフトクロックで次のラッチ２０ｂにシフトされると共にラッチ２０ａには、２番目の画素が入力される。以下順にラッチ２０ａに１ライン目の最後の画素までシフトクロックに同期して順次入力される。また、第３のアンド回路２３に入力される制御信号は、１ライン目の処理中は０となっているため、第２の加算器２２へのラインメモリからのデータ入力はない（０が入力される）ので、第２の加算器２２の出力は、第１の加算器２１の出力と等しくなる。そして、シフトクロックの４回に１回の割合で第２の加算器２２の出力からラインメモリに格納される。これにより、ラインメモリには、１〜４番目の画素濃度の総和，５〜８番目の画素濃度の総和…が順次書き込まれる。
　【００３２】
　次に、２ライン目の画素の処理に移ると、第３のアンド回路２３への制御信号は「１」に変わり、１ライン目の画素に基づくデータの読み出し（第２の加算器２２への入力）が可能となる。そして、２ライン目を構成する各画素が上記と同様に１番目から順にラッチ２０ａに入力されていき、１〜４番目の画素の濃度の総和が第１の加算器２１にて求められる。そして、第２の加算器２２に入力された時に、ラインメモリに格納されていた１ライン目の１〜４番目の画素の濃度の総和を読み出し、両者を加算して得られた結果をラインメモリの１番目に再書き込みする。以下順に処理を行い、１ライン目と２ライン目の所定部位の８画素分の濃度の総和がラインメモリに書き込まれることになる。
　【００３３】
　さらに３ライン目の画素の処理に移ると、上記２ラインの処理と基本的に同様に処理が行われ、係る３ライン目を構成する画素の入力状況に応じて、第１の加算器２１から出力される４画素分の濃度の総和と、ラインメモリに書込まれている１，２ライン目の８画素分の濃度の総和とが第２の加算器２２にて加算され、その出力がラインメモリとともに除算器２４に入力される。そして、除算器２４にて１２で割ることで１２画素分の平均値が求められ、それが次段の認識処理部４に送られる。なお、除算器２４は、第２の加算器２２からデータが出力される都度除算処理を行うが、３ライン分の総和が出力されたときの除算値のみ使用するようになっている。
　【００３４】
　そして、間引き後の４ライン目の画素の処理に移ると、上記１ライン目の処理と同様に第３のアンド回路２３へ入力される制御信号は「０」となっているため、上記処理によってラインメモリに格納された１〜３ライン目の所定の１２画素分の濃度の総和データは読み出されず、４ライン目の所定の４画素分の画素の濃度の総和がラインメモリに書込まれることにより、上記１２画素分のデータはクリアされる。以後、上記処理が繰り返し行われる。
　【００３５】
　認識処理部４は、本例ではファジィパターンマッチングにより、与えられた画像データ中に存在する所定部位（比較パターン）の予め設定した特定パターンに対する適合度（類似度）を求め、比較パターンが特定パターンであるか否かを判断し、少なくとも特定パターンの時には所定の制御信号（認識結果）を出力するようになっている。なお、この認識結果に基づいて複写機本体６側では、複写出力をしなかったり、全体を黒に印刷するなど種々の複写禁止処理が実行される。また、この認識処理部４では、特定パターンに対する類似度を求めるだけでもよく（比較パターンが特定パターンか否かの判定は複写機本体６側で行う）、或いは、係る判定まで認識処理部４で行うようにしてもよい。
　【００３６】
　なお、認識処理部４は、上記したファジィパターンマッチングを用いたものに限ることはなく、種々のパターン認識のほかあらゆる認識手段とすることができる。また、上記した実施例では、高速処理並びに印刷ずれなどに対応するためにぼかした画像に基づいて認識処理をするようにしたが、本発明は必ずしもぼかした画像に対して行う必要はなく、間引いた画像に基づいて認識処理をしても良い。係る場合には、図１に示す構成中平均化処理部３を設けずに間引き部２の出力を認識処理部４に与えるようにしても良い。
　【００３７】
　図４は本発明の第２実施例を示している。同図に示すように、上記した実施例並びに各種の変形例では、いずれも入力された画像データに対して所定の修正処理を行い、変倍率に関係なくその同一性を保つようにしたが、本例では、それとは逆に比較対象の特定パターンの形状を与えられる変倍率に応じて変更するようにしている。すなわち、本例の画像処理装置１′の基本構成は、まず複写機本体６から画像データが認識装置本体３０に与えられ、この認識装置本体３０では、データ記憶部３１内に格納された特定パターンとをファジィパターンマッチング処理を行う、係る特定パターンが画像データ中に含まれているか否かの認識処理を行い、その認識結果を複写機本体６に送るようになっている。
　【００３８】
　ここで、データ記憶部３１に格納された特定パターンは、本例ではデータ変換部３２を介して認識装置本体３０に与えられるようになっており、このデータ変換部３２は、複写機本体６から制御用ＣＰＵ５′を介して与えられる変倍率に応じて適宜特定パターンに対して拡大・縮小などの変形処理を施すようになっている。これにより、画像データが変形されていても、比較する特定パターンもそれに応じて変形されているため、認識率が高くなる。また、このデータ記憶部３１に格納され、データ変換部３２で変換されるデータとしては、特定パターンに限ることはなく、必要に応じてパターンマッチングする際のファジィ知識なども含まれる。
　【００３９】
　また、具体的な図示は省略するが、上記データ変換部３２に替えてデータ選択部を設けるとともに、１種類の特定パターンに対して変倍率に応じた複数の特定パターンをデータ記憶部に格納しておき、制御用ＣＰＵからデータ選択部に変倍率が与えられたなら、その変倍率に応じた特定パターンをデータ記憶部から読み出すとともに認識装置本体３０に与えるようにしてもよい。
　【００４０】
　なお、かかる例においても特定パターンのみならずファジィ知識等に対しても同様の処理（複数形成し、変倍率に応じて所定のものを選択する）を行うようにしてもよい。また、図４に示した認識装置本体３０（上記変形例も同じ）における認識処理は、ファジィパターンマッチングに限られることはなく、種々の手法を用いることができ、また、上記した第１実施例のように、平均化処理部を実装させてもよいのはもちろんである。
　【００４１】
　【発明の効果】
　以上のように、本発明に係る画像処理装置及びそれを搭載した複写機では、たとえ変形されて入力画像の大きさ・形状が元画像と異なっても、係る変形率に応じて入力画像デー
タの
紙幣等の複写禁止物に関する
【図面の簡単な説明】
　【図１】
　本発明の第１実施例を示すブロック図である。
　【図２】
　その間引き部の内部構成を示すブロック図である。
　【図３】
　その平均化処理部の内部構成を示すブロック図である。
　【図４】
　本発明の第２実施例を示すブロック図である。
　【符号の説明】
　１，１′　画像処理装置
　２　間引き部
　３　平均化処理部
　４　認識処理部
　５，５′　制御用ＣＰＵ
　６，６′　複写機本体
　３０　認識装置本体
　３１　データ記憶部
　３２　データ変換部